(57)【要約】    【課題】  大口径比でズーム範囲全般、そして物体距離全般において高い光学性能を有するズームレンズを得ること。    【解決手段】  物体側から像側へ順に、正の屈折力の第１レンズ群、負の屈折力の第２レンズ群、複数のレンズ群を含み全体として正の屈折力の後群を有し、ズーミングに際して隣り合うレンズ群の間隔が変化するズームレンズにおいて、後群はフォーカシングに際して移動する正の屈折力のフォーカス群と、フォーカス群の像側に、１つ以上のレンズ群を含む後続群を有し、後続群は望遠端において負の屈折力を有し、望遠端における全系の焦点距離ｆｔ、第１レンズ群からフォーカス群の物体側に配置されたレンズ群までの合成焦点距離ｆｐｔを各々適切に設定すること。【選択図】    図１
2016048355.tif 000002
【特許請求の範囲】
【請求項１】
物体側から像側へ順に、正の屈折力の第１レンズ群、負の屈折力の第２レンズ群、複数のレンズ群を含み全体として正の屈折力の後群を有し、ズーミングに際して隣り合うレンズ群の間隔が変化するズームレンズにおいて、前記後群はフォーカシングに際して移動する正の屈折力のフォーカス群と、前記フォーカス群の像側に、１つ以上のレンズ群を含む後続群を有し、前記後続群は望遠端において負の屈折力を有し、望遠端における全系の焦点距離をｆｔ、前記第１レンズ群から前記フォーカス群の物体側に配置されたレンズ群までの合成焦点距離をｆｐｔとするとき、
２．０＜｜ｆｐｔ／ｆｔ｜
なる条件式を満足することを特徴とするズームレンズ。
【請求項２】
前記フォーカス群の焦点距離をｆｆとするとき、
０．４＜ｆｆ／ｆｔ＜１．０
なる条件式を満足することを特徴とする請求項１のズームレンズ。
【請求項３】
望遠端における前記後続群の合成焦点距離をｆｒｔとするとき、
０．５＜｜ｆｒｔ／ｆｔ｜＜１０．０
なる条件式を満足することを特徴とする請求項１又は２のズームレンズ。
【請求項４】
望遠端における前記フォーカス群の横倍率をβｆｔとするとき、
−０．２＜βｆｔ＜０．２
なる条件式を満足することを特徴とする請求項１乃至３のいずれか１項のズームレンズ。
【請求項５】
望遠端における前記後続群の合成横倍率をβｒｔとするとき、
１．０＜βｒｔ＜１．３
なる条件式を満足することを特徴とする請求項１乃至４のいずれか１項のズームレンズ。
【請求項６】
望遠端における前記フォーカス群と前記フォーカス群の物体側に配置されたレンズ群との間隔をｄｆｔ，望遠端におけるレンズ全長をｄｔとするとき、
０．０５＜ｄｆｔ／ｄｔ＜０．２０
なる条件式を満足することを特徴とする請求項１乃至５のいずれか１項のズームレンズ。
【請求項７】
前記フォーカス群は単一のレンズユニットより構成されることを特徴とする請求項１乃至６のいずれか１項のズームレンズ。
【請求項８】
前記フォーカス群の最も物体側のレンズ面の曲率をｒ１、最も像側のレンズ面の曲率をｒ２とするとき、
０．０＜（ｒ１＋ｒ２）／（ｒ１−ｒ２）＜０．５
なる条件式を満足することを特徴とする請求項１乃至７のいずれか１項のズームレンズ。
【請求項９】
望遠端における全系のＦナンバーをＦｎｏｔ、広角端における全系の焦点距離をｆｗとするとき、
０．１＜Ｆｎｏｔ／（ｆｔ／ｆｗ）＜１．０
なる条件式を満足することを特徴とする請求項１乃至８のいずれか１項のズームレンズ。
【請求項１０】
前記第１レンズ群の焦点距離をｆ１とするとき、
１．０＜ｆ１／ｆｔ＜２．０
なる条件式を満足することを特徴とする請求項１乃至９のいずれか１項のズームレンズ。
【請求項１１】
前記第２レンズ群の焦点距離をｆ２、広角端における全系の焦点距離をｆｗとするとき、
０．８＜｜ｆ２／ｆｗ｜＜１．５
なる条件式を満足することを特徴とする請求項１から１１のいずれか１項のズームレンズ。
【請求項１２】
前記フォーカス群又は前記フォーカス群を含むレンズ群は、ズーミングに際して他のレンズ群と異なった軌跡で移動することを特徴とする請求項１乃至１１のいずれか１項のズームレンズ。
【請求項１３】
前記後群は、物体側から像側へ順に、正の屈折力の第３レンズ群、正の屈折力の第４レンズ群、負の屈折力の第５レンズ群より構成されることを特徴とする請求項１乃至１２のいずれか１項のズームレンズ。
【請求項１４】
前記後群は、物体側から像側へ順に、正の屈折力の第３レンズ群、正の屈折力の第４レンズ群、正の屈折力の第５レンズ群、負の屈折力の第６レンズ群より構成されることを特徴とする請求項１乃至１２のいずれか１項のズームレンズ。
【請求項１５】
前記後群は、物体側から像側へ順に、正の屈折力の第３レンズ群、負の屈折力の第４レンズ群、正の屈折力の第５レンズ群より構成されることを特徴とする請求項１乃至１２のいずれか１項のズームレンズ。
【請求項１６】
固体撮像素子に像を形成することを特徴とする請求項１乃至１５のいずれか１項のズームレンズ。
【請求項１７】
請求項１乃至１６のいずれか１項のズームレンズと、該ズームレンズによって形成された像を受光する撮像素子とを有することを特徴とする撮像装置。
【請求項１８】
望遠端における全系のＦナンバーをＦｎｏｔ、広角端から望遠端のズーミングに際して、軸上光線もしくは軸外光線が前記後群の最も物体側のレンズ面を通過する入射高さの最大値をｈｇｔ、前記撮像素子の有効範囲の対角線長の半分をＹｍａｘとするとき、
０．３＜ｈｇｔ／（Ｙｍａｘ・Ｆｎｏｔ）＜１．０
なる条件式を満足することを特徴とする請求項１７の撮像装置。
【発明の詳細な説明】
【技術分野】
【０００１】
本発明は、ズームレンズ及びそれを有する撮像装置に関し、例えばビデオカメラ、デジタルスチルカメラ、フィルム用カメラ、放送用カメラ、監視用カメラ等の撮像装置の撮像光学系として好適なものである。
【背景技術】
【０００２】
近年、撮像装置に用いられる撮像光学系には、大口径比、高ズーム比で、かつ無限遠から近距離に至る物体距離全般にわたり、高い光学性能を有するズームレンズが求められている。
【０００３】
従来、ズームレンズのフォーカシング方法として、物体側の第１レンズ群を移動させる、所謂前玉フォーカス式や、第２レンズ群以降のレンズ群を移動させる、所謂インナーフォーカス式（リアフォーカス式）が知られている。一般にインナーフォーカス式を用いたズームレンズは、前玉フォーカス式を用いたズームレンズに比べて、第１レンズ群の光線有効径が小さくなるので、レンズ系全体の小型化が容易である。また、比較的小型軽量のレンズ群を移動させてフォーカシングを行うため、特にオートフォーカスカメラにおいては迅速なフォーカシングが容易になる。
【０００４】
従来、インナーフォーカス式のズームレンズが知られている。例えば物体側から像側へ順に、正、負、正、正、負の屈折力の第１レンズ群乃至第５レンズ群からなり、ズーミングに際して各レンズ群が移動し、フォーカシングに際して第４レンズ群が移動するズームレンズが知られている（特許文献１，２）。この他、物体側から像側へ順に、正、負、正、負、正の屈折力の第１レンズ群乃至第５レンズ群からなり、ズーミングに際して各レンズ群が移動し、フォーカシングに際して第５レンズ群が移動するズームレンズが知られている（特許文献３）。
【先行技術文献】
【特許文献】
【０００５】
【特許文献１】特開２００５−２９２３３８号公報
【特許文献２】特開２０１２−７８７８８号公報
【特許文献３】特開２００３−２５５２２８号公報
【発明の概要】
【発明が解決しようとする課題】
【０００６】
インナーフォーカス式を用いたズームレンズは、フォーカス群（フォーカス用のレンズ群）の小型化、軽量化が容易になり、迅速にフォーカシングすることが容易になる。しかしながらこれらの特長を得るにはズームレンズを構成するレンズ群の数や、各レンズ群の屈折力、そしてフォーカス群の屈折力等の構成を適切に設定することが重要になってくる。これらの構成が適切でないと、フォーカシングに際しての収差変動が増大し、無限遠から近距離に至る物体距離全般にわたり、高い光学性能を得るのが困難になってくる。
【０００７】
この他、大口径比化を図りつつ、物体距離全般にわたり高い光学性能を得るには、物体側の第１レンズ群からフォーカス群の物体側のレンズ群までのレンズ系全体の屈折力（総合焦点距離の逆数）を適切に設定することが重要になってくる。
【０００８】
本発明は、大口径比でズーム範囲全般、そして物体距離全般において高い光学性能を有するズームレンズ及びそれを有する撮像装置の提供を目的とする。
【課題を解決するための手段】
【０００９】
本発明のズームレンズは、物体側から像側へ順に、正の屈折力の第１レンズ群、負の屈折力の第２レンズ群、複数のレンズ群を含み全体として正の屈折力の後群を有し、ズーミングに際して隣り合うレンズ群の間隔が変化するズームレンズにおいて、前記後群はフォーカシングに際して移動する正の屈折力のフォーカス群と、前記フォーカス群の像側に、１つ以上のレンズ群を含む後続群を有し、前記後続群は望遠端において負の屈折力を有し、望遠端における全系の焦点距離をｆｔ、前記第１レンズ群から前記フォーカス群の物体側に配置されたレンズ群までの合成焦点距離をｆｐｔとするとき、
２．０＜｜ｆｐｔ／ｆｔ｜
なる条件式を満足することを特徴としている。
【発明の効果】
【００１０】
本発明によれば、大口径比でズーム範囲全般、そして物体距離全般において高い光学性能を有するズームレンズが得られる。
【図面の簡単な説明】
【００１１】
【図１】本発明の実施例１のズームレンズの広角端において無限遠物体に合焦したときのレンズ断面図
【図２】（Ａ），（Ｂ）  実施例１のズームレンズの広角端と望遠端において無限遠物体に合焦させたときの縦収差図
【図３】（Ａ），（Ｂ）  実施例１のズームレンズの広角端において物体距離０．１０ｍと望遠端において物体距離０．５０ｍに合焦させたときの縦収差図
【図４】本発明の実施例２のズームレンズの広角端において無限遠物体に合焦したときのレンズ断面図
【図５】（Ａ），（Ｂ）  実施例２のズームレンズの広角端と望遠端において無限遠物体に合焦させたときの縦収差図
【図６】（Ａ），（Ｂ）  実施例２のズームレンズの広角端において物体距離０．１０ｍと望遠端において物体距離０．５０ｍに合焦させたときの縦収差図
【図７】本発明の実施例３のズームレンズの広角端において無限遠物体に合焦したときのレンズ断面図
【図８】（Ａ），（Ｂ）  実施例３のズームレンズの広角端と望遠端において無限遠物体に合焦させたときの縦収差図
【図９】（Ａ），（Ｂ）  実施例３のズームレンズの広角端において物体距離０．１０ｍと望遠端において物体距離０．５０ｍに合焦させたときの縦収差図
【図１０】本発明の光学系を備えるカメラ（撮像装置）の要部概略図
【発明を実施するための形態】
【００１２】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、複数のレンズ群を含み、全体として正の屈折力の後群を有している。ズーミングに際して、隣り合うレンズ群の間隔が変化する。後群はフォーカシングに際して移動するフォーカス群と、フォーカス群の像側に１つ以上のレンズ群を含む後続群を有する。後続群は望遠端において負の屈折力を有する。
【００１３】
図１は本発明の実施例１のズームレンズの広角端（短焦点距離端）において無限遠に合焦したときのレンズ断面図である。図２（Ａ），（Ｂ）は実施例１のズームレンズの広角端において無限遠に合焦したときと望遠端（長焦点距離端）において無限遠に合焦したときの縦収差図である。図３（Ａ），（Ｂ）は実施例１のズームレンズの広角端において近距離（０．１ｍ）に合焦したときと望遠端において近距離（０．５ｍ）に合焦したときの縦収差図である。
【００１４】
ここで近距離における距離は後述する数値実施例をｍｍ単位で表したときの像面からの長さである。図４は本発明の実施例２のズームレンズの広角端において無限遠に合焦したときのレンズ断面図である。図５（Ａ），（Ｂ）は実施例２のズームレンズの広角端において無限遠に合焦したときと望遠端において無限遠に合焦したときの縦収差図である。図６（Ａ），（Ｂ）は実施例２のズームレンズの広角端において近距離（０．１ｍ）に合焦したときと望遠端において近距離（０．５ｍ）に合焦したときの縦収差図である。
【００１５】
図７は本発明の実施例３のズームレンズの広角端において無限遠に合焦したときのレンズ断面図である。図８（Ａ），（Ｂ）は実施例３のズームレンズの広角端において無限遠に合焦したときと望遠端において無限遠に合焦したときの縦収差図である。図９（Ａ），（Ｂ）は実施例３のズームレンズの広角端において近距離（０．１ｍ）に合焦したときと望遠端において近距離（０．５ｍ）に合焦したときの縦収差図である。
【００１６】
図１０は本発明のズームレンズを備えるカメラ（撮像装置）の要部概略図である。各実施例のズームレンズはビデオカメラやデジタルカメラ、そして銀塩フィルムカメラ等の撮像装置に用いられる撮像光学系である。レンズ断面図において、左方が物体側（前方）で、右方が像側（後方）である。レンズ断面図において、ｉは物体側からレンズ群の順番を示し、Ｌｉは第ｉレンズ群である。ＬＢは複数のレンズ群を含む全体として正の屈折力の後群である。後群ＬＢはフォーカシングに際して移動する正の屈折力のフォーカス群ＬＦを有する。
【００１７】
後群ＬＢはフォーカス群ＬＦの像側に１つ以上のレンズ群よりなり後続群ＬＢＢを有する。後続群ＬＢＢは望遠端において負の屈折力を有する。ＳＰは開口絞りであり、第３レンズ群Ｌ３の物体側に配置している。
【００１８】
ＩＰは像面であり、ビデオカメラやデジタルスチルカメラの撮影光学系として使用する際にはＣＣＤセンサやＣＭＯＳセンサなどの固体撮像素子（光電変換素子）の撮像面に、銀塩フィルム用カメラのときはフィルム面に相当する感光面が置かれる。レンズ断面図において矢印は広角端から望遠端へのズーミングにおける各レンズ群の移動軌跡を示している。フォーカスに関する矢印は無限遠から近距離へのフォーカシングに際してのフォーカス群ＬＦの移動方向を示している。
【００１９】
図１のレンズ断面図において、Ｌ１は正の屈折力の第１レンズ群、Ｌ２は負の屈折力の第２レンズ群である。後群ＬＢは正の屈折力の第３レンズ群Ｌ３、正の屈折力の第４レンズ群Ｌ４、負の屈折力の第５レンズ群Ｌ５よりなっている。第４レンズ群Ｌ４はフォーカス群ＬＦである。後続群ＬＢＢは第５レンズ群Ｌ５よりなっている。
【００２０】
図１の実施例１では広角端から望遠端へのズーミングに際して第１レンズ群Ｌ１は像側へ凸状の軌跡を描いて移動する。第２レンズ群Ｌ２は第１レンズ群Ｌ１との間隔を増大しつつ像側へ移動する。第３レンズ群Ｌ３は第２レンズ群Ｌ２との間隔を縮小しつつ物体側へ移動する。第４レンズ群Ｌ４は第３レンズ群Ｌ３との間隔を縮小しつつ物体側へ移動する。第５レンズ群Ｌ５は物体側へ凸状の軌跡を描いて移動する。開口絞りＳＰは物体側へ凸状の軌跡を描いて移動する。
【００２１】
図４のレンズ断面図においてＬ１は正の屈折力の第１レンズ群、Ｌ２は負の屈折力の第２レンズ群である。後群ＬＢは正の屈折力の第３レンズ群Ｌ３、正の屈折力の第４レンズ群Ｌ４、正の屈折力の第５レンズ群Ｌ５、負の屈折力の第６レンズ群Ｌ６よりなっている。第４レンズ群Ｌ４はフォーカス群ＬＦである。
【００２２】
図４の実施例２では広角端から望遠端へのズーミングに際して第１レンズ群Ｌ１は像側へ凸状の軌跡を描いて移動する。第２レンズ群Ｌ２は第１レンズ群Ｌ１との間隔を増大しつつ像側へ移動する。第３レンズ群Ｌ３は第２レンズ群Ｌ２との間隔を縮小しつつ物体側へ移動する。第４レンズ群Ｌ４は像側へ凸状の軌跡を描いて移動する。第５レンズ群Ｌ５は物体側へ凸状の軌跡を描いて移動する。第６レンズ群Ｌ６は不動である。開口絞りＳＰは第３レンズ群Ｌ３と一体に移動する。
【００２３】
図７のレンズ断面図においてＬ１は正の屈折力の第１レンズ群、Ｌ２は負の屈折力の第２レンズ群である。後群ＬＢは正の屈折力の第３レンズ群Ｌ３、負の屈折力の第４レンズ群Ｌ４、正の屈折力の第５レンズ群Ｌ５よりなっている。フォーカス群ＬＦは第３レンズ群Ｌ３の一部のレンズ系よりなっている。後続群ＬＢＢは第４レンズ群Ｌ４と第５レンズ群Ｌ５よりなっている。
【００２４】
図７の実施例３では広角端から望遠端へのズーミングに際して第１レンズ群Ｌ１は像側へ凸状の軌跡を描いて移動する。第２レンズ群Ｌ２は第１レンズ群Ｌ１との間隔を増大しつつ像側へ移動する。第３レンズ群Ｌ３は第２レンズ群Ｌ２との間隔を縮小しつつ物体側へ移動する。第４レンズ群Ｌ４は物体側へ凸状の軌跡を描いて移動する。第５レンズ群Ｌ５は物体側へ凸状の軌跡を描いて移動する。開口絞りＳＰは物体側へ凸状の軌跡を描いて移動する。
【００２５】
球面収差図においてｄはｄ線、ｇはｇ線である。非点収差図においてＭはメリディオナル像面、Ｓはサジタル像面である。倍率色収差においてｇはｇ線である。ωは半画角（度）、ＦｎｏはＦナンバーである。尚、以下の各実施例において広角端と望遠端は変倍用のレンズ群が機構上光軸上を移動可能な範囲の両端に位置したときのズーム位置をいう。各実施例においてフォーカス群ＬＦ又はフォーカス群ＬＦを含むレンズ群はズーミングに際して他のレンズ群と異なった軌跡で移動する。
【００２６】
次に、各実施例の特徴について説明する。本発明のズームレンズは、物体側から像側へ順に、正の屈折力の第１レンズ群Ｌ１、負の屈折力の第２レンズ群Ｌ２、１つ以上のレンズ群を含み全体として正の屈折力の後群ＬＢを有する。各実施例のズームレンズにおいて、後群ＬＢは正の屈折力のフォーカス群ＬＦを有する。そしてフォーカス群ＬＦの像側に、１つ以上のレンズ群よりなる後続群ＬＢＢを有する。後続群ＬＢＢは、望遠端において全体として負の屈折力を有する。
【００２７】
各実施例では、フォーカス式としてインナーフォーカス式を採用している。インナーフォーカス式は、外径が大きく高重量の第１レンズ群を移動させてフォーカシングを行う前玉フォーカス式に対して、光線有効径が小さくなる小型軽量のレンズ部を移動させてフォーカシングを行うことができる。このためレンズ系全体の小型化が容易である。また、比較的、小型軽量のレンズ部を移動させてフォーカシングを行うため、特にオートフォーカス機能を有するカメラにおいては迅速なフォーカシングが容易になるといった特徴も有している。
【００２８】
しかしながら、一般にインナーフォーカス式は前玉フォーカス式に比べて、フォーカシングに際しての収差変動が大きくなり、特に近距離に合焦したとき、諸収差、特に球面収差が増大する傾向がある。
【００２９】
多くのポジティブリードタイプでインナーフォーカス式を用いるズームレンズにおいては、高ズーム比化とレンズ系全系の小型化を図りつつ、フォーカシングに際して収差変動が少なく、物体距離全般にわたり良好な光学性能を得ることが課題となっている。この課題を解決するために、本発明のズームレンズでは各レンズ群の屈折力やレンズ構成、そして各レンズ群のズーミングに伴う移動条件を適切に設定している。これによって、高ズーム比化を図りつつ、全ズーム範囲及び物体距離全般にわたり高い光学性能を有している。
【００３０】
本発明のズームレンズでは、望遠端における全系の焦点距離をｆｔ、望遠端において第１レンズ群Ｌ１からフォーカス群ＬＦの物体側に配置されたレンズ群までの合成焦点距離をｆｐｔとする。このとき、
２．０＜｜ｆｐｔ／ｆｔ｜・・・（１）
なる条件式を満足する。
【００３１】
条件式（１）は望遠端において全フォーカス範囲（物体距離全般）にわたりフォーカシングに際して諸収差の変動が少なく、画面全体にわたり高い光学性能を得るためのものである。条件式（１）を満足することで、望遠端においてフォーカス用のレンズ群（フォーカス群）である第３レンズ群Ｌ３の一部又は第４レンズ群Ｌ４に入射する軸上光線の入射角度を小さくしている。そしてフォーカシングによる軸上光線の入射高ｈの変動を小さくすることができる。これにより、望遠端において、フォーカシングに際しての軸上色収差、球面収差の変動を小さくしている。
【００３２】
以上により、本発明では物体距離全般にわたって高い光学性能を有するズームレンズを得ている。
【００３３】
各実施例のズームレンズにおいて、更に好ましくは次の条件式のうち１つ以上を満足するのが良い。それによれば各条件式に対応した効果が得られる。フォーカス群ＬＦの焦点距離をｆｆとする。望遠端における後続群ＬＢＢの合成焦点距離をｆｒｔとする。望遠端におけるフォーカス群ＬＦの横倍率をβｆｔとする。望遠端における後続群ＬＢＢの合成横倍率をβｒｔとする。望遠端におけるフォーカス群ＬＦとフォーカス群ＬＦの物体側に配置されたレンズ群との間隔をｄｆｔ，望遠端におけるレンズ全長（第１レンズ面から像面までの距離）をｄｔとする。
【００３４】
フォーカス群ＬＦの最も物体側のレンズ面の曲率をｒ１、最も像側のレンズ面の曲率をｒ２とする。望遠端における全系のＦナンバーをＦｎｏｔ、広角端における全系の焦点距離をｆｗとする。第１レンズ群Ｌ１の焦点距離をｆ１とする。第２レンズ群Ｌ２の焦点距離をｆ２とする。
【００３５】
また本発明のズームレンズを撮像素子を有する撮像装置に用いたとき、広角端から望遠端のズーミングに際して、軸上光線もしくは軸外光線が後群ＬＢの最も物体側のレンズ面を通過する入射高さの最大値をｈｇｔとする。撮像素子の有効範囲の対角線長の半分をＹｍａｘとする。このとき次の条件式のうち１以上を満足するのが良い。
【００３６】
０．４＜ｆｆ／ｆｔ＜１．０                      ・・・（２）
０．５＜｜ｆｒｔ／ｆｔ｜＜１０．０              ・・・（３）
−０．２＜βｆｔ＜０．２                        ・・・（４）
１．０＜βｒｔ＜１．３                          ・・・（５）
０．０５＜ｄｆｔ／ｄｔ＜０．２０                ・・・（６）
０．０＜（ｒ１＋ｒ２）／（ｒ１−ｒ２）＜０．５  ・・・（７）
０．１＜Ｆｎｏｔ／（ｆｔ／ｆｗ）＜１．０        ・・・（８）
１．０＜ｆ１／ｆｔ＜２．０                      ・・・（９）
０．８＜｜ｆ２／ｆｗ｜＜１．５                  ・・・（１０）
０．３＜ｈｇｔ／（Ｙｍａｘ・Ｆｎｏｔ）＜１．０  ・・・（１１）
【００３７】
次に前述の各条件式の技術的意味について説明する。条件式（２）はフォーカス群ＬＦの焦点距離を適切に設定し、フォーカス群の小型化を図りつつ、物体距離全般にわたり良好な光学性能を得るためのものである。条件式（２）の上限を越えて、フォーカス群ＬＦの正の屈折力が小さくなりすぎると、フォーカシングに際しての移動量が多くなり、近距離へのフォーカシングに際しての収差変動が大きくなってくる。下限を越えて、フォーカス群ＬＦの正の屈折力が大きくなりすぎると、軸上色収差、球面収差等が増大し、これらの諸収差の補正が困難となる。
【００３８】
条件式（３）は望遠端におけるフォーカス群ＬＦの像側に配置される後続群ＬＢＢの合成焦点距離ｆｒｔを適切に設定するものである。条件式（３）を満足することで、望遠端におけるレンズ全長を短くしつつ、良好な光学性能を得ている。条件式（３）の上限を越えて、後続群ＬＢＢの負の屈折力が小さくなり過ぎると（負の屈折力の絶対値が小さくなりすぎると）、望遠端におけるレンズ全長の短縮が困難となる。また、望遠端において後続群ＬＢＢの横倍率が小さくなるため、フォーカシングに際してフォーカス群ＬＦの移動量が多くなり、近距離へフォーカシングに際して収差変動が大きくなってくる。
【００３９】
下限を越えて、後続群ＬＢＢの負の屈折力が大きくなりすぎると（負の屈折力の絶対値が大きくなりすぎると）、歪曲収差、像面湾曲が増大し、これらの諸収差の補正が困難となる。
【００４０】
フォーカス群ＬＦの倍率とフォーカス敏感度（フォーカス群の移動量に対するピントの移動量の比率）は次式で表わすことができる。
【００４１】
ＥＳ＝（１−βｆ2）×βｒ2
但し、ＥＳ：フォーカス敏感度
βｆ：フォーカス群の倍率
βｒ：フォーカス群より像側に配置された全てのレンズ群の合成倍率
上式によれば、フォーカス敏感度はフォーカス群ＬＦの倍率の絶対値が１のとき０となり、１から離れるにしたがって大きくなることがわかる。
【００４２】
条件式（４）を満足することで、望遠端においてフォーカシングの際の移動量が少なくなり、望遠端においてレンズ全長の短縮が容易となる。また、近距離へのフォーカシングに際しての収差変動を小さくすることが出来る。前記フォーカス敏感度の式より、望遠端においてフォーカス群の像側に配置されたレンズ群（後続群）ＬＢＢの合成横倍率は大きい方か、フォーカス敏感度が大きくなることが分かる。
【００４３】
条件式（５）を満足することで、望遠端においてフォーカシングの際の移動量が少なくなり、望遠端におけるレンズ全長の短縮が容易となる。また、近距離へのフォーカシングに際しての収差変動を小さくすることが出来る。
【００４４】
条件式（６）は高ズーム比化を図りつつ、撮影可能な物体距離（最短撮影距離）の短縮化を図るためのものである。条件式（６）の上限を超えて、望遠端においてフォーカス群ＬＦの物体側のレンズ群又はレンズ部との間隔が広くなりすぎると、全系が大型化してくる。又、フォーカス群の変倍分担が小さくなる。このため、高ズーム比化が困難となる。条件式（６）の下限を超えて、望遠端においてフォーカス群ＬＦとフォーカス群ＬＦの物体側のレンズ群又はレンズ部との間隔が狭くなりすぎると、フォーカシングに際しての移動量を十分に確保することが困難となり、最短撮影距離の短縮が困難となる。
【００４５】
前記フォーカス群ＬＦは単一レンズ又は複数のレンズを接合した接合レンズよりなる単一のレンズユニットで構成するのが良い。フォーカス群の構成を単一のレンズユニットとすることで、フォーカス群ＬＦを小型軽量化することが容易となる。また、光軸方向の厚みを軽減することが出来るため、フォーカシング時に長い移動量の確保が容易となる。
【００４６】
条件式（７）はフォーカス群ＬＦのレンズ形状を適切に設定するものである。ズームレンズにおいて、歪曲収差を許容出来る範囲内にすれば、開口絞りＳＰより物体側に位置するレンズ枚数を少なくしつつも、球面収差を良好に抑制することが容易になり、前玉径の小型化が容易になる。しかしながら、歪曲収差を軽減しすぎると、フォーカシングに際しての像面湾曲の変動が増大し、これを軽減することが困難となってくる。
【００４７】
条件式（７）を満足することで、フォーカス群ＬＦの像側のレンズ面の凸形状の曲率半径が小さく、開口絞りＳＰに対して同心円に近い形状とすることが出来る。これにより、フォーカス群ＬＦに入射する軸外光束が極端な屈折をせずに通過するようにして、像面湾曲の発生を少なくし、広角側においてフォーカシングによる像面湾曲の変動を軽減している。
【００４８】
条件式（８）は広角端におけるＦナンバーとズーム比との関係を規定する。条件式（８）の下限値を超えてズーム比に対するＦナンバーが小さくなりすぎると、第３レンズ群Ｌ３より球面収差が大きく発生してズーム全域で高い光学性能を維持することが困難となる。また上限値を超えてズーム比に対するＦナンバーが大きくなりすぎると、高ズーム比化と大口径比化を図るのが困難となる。
【００４９】
条件式（９）は第１レンズ群Ｌ１の焦点距離を規定する。条件式（９）の上限を超えるとズーミングに際しての第１レンズ群Ｌ１の移動量が増大し、望遠端においてレンズ全長が長くなってくるので良くない。また、全系の小型化が難しくなる。条件式（９）の下限を超えると、高ズーム比化は容易となるが、球面収差が増大し、この球面収差の補正が困難となる。
【００５０】
条件式（１０）は第２レンズ群Ｌ２の焦点距離を規定する。条件式（１０）の上限を超えて第２レンズ群の負の屈折力が小さくなると（負の屈折力の絶対値が小さくなると）レトロフォーカスタイプのパワー配置とするのが難しくなり、広角端における撮影画角を広くすることが困難となる。
【００５１】
条件式（１０）の下限を超えて第２レンズ群Ｌ２の負の屈折力が大きくなると（負の屈折力の絶対値が大きくなると）、第２レンズ群Ｌ２の負の屈折力が強くなりすぎ、ズーミングに伴う球面収差、倍率色収差等の変動を小さくするのが困難となる。又、第２レンズ群Ｌ２による軸上光束の発散作用が大きくなり過ぎるために後群ＬＲの小型化が困難になってくる。
【００５２】
条件式（１１）は、本発明のズームレンズを撮像装置に用いたときの撮像素子の大きさと、望遠端におけるＦナンバーに対する後群ＬＢの最も物体側のレンズの有効径ｈｇｔとの関係を規定する。
【００５３】
条件式（１１）の下限値を超えて後群ＬＢの最も物体側のレンズの有効径が小さくなりすぎると、明るいＦナンバーに対応する軸上光束に対して十分な有効径を確保するのが困難となり、大口径比が困難となる。また上限値を超えて後群ＬＢの最も物体側のレンズの有効径が大きくなりすぎると、後群ＬＢの最も物体側のレンズより球面収差が大きく発生してくる。このときの球面収差を光学系全系で補正するのが困難となり大口径比を図りつつ高い光学性能を得るのが困難になる。
【００５４】
尚、各実施例において更に好ましくは前述の条件式（１）乃至（１１）の数値範囲を以下の如く設定するのが良い。
【００５５】
７．０＜｜ｆｐｔ／ｆｔ｜                        ・・・（１ａ）
０．５＜ｆｆ／ｆｔ＜０．８                      ・・・（２ａ）
１．０＜｜ｆｒｔ／ｆｔ｜＜８．０                ・・・（３ａ）
−０．１５＜βｆｔ＜０．１０                    ・・・（４ａ）
１．１０＜βｒｔ＜１．２５                      ・・・（５ａ）
０．０７＜ｄｆｔ／ｄｔ＜０．１５                ・・・（６ａ）
０．１＜（ｒ１＋ｒ２）／  （ｒ１−ｒ２）＜０．４・・・（７ａ）
０．４＜Ｆｎｏｔ／（ｆｔ／ｆｗ）＜０．８        ・・・（８ａ）
１．２＜ｆ１／ｆｔ＜１．６                      ・・・（９ａ）
１．０＜｜ｆ２／ｆｗ｜＜１．３                  ・・・（１０ａ）
０．４＜ｈｇｔ／（Ｙｍａｘ・Ｆｎｏｔ）＜０．８  ・・・（１１ａ）
【００５６】
以上のように各実施例によれば、望遠端のＦナンバーが３以下の大口径比のズームレンズでありながら、小型軽量のフォーカス群を有し、全ズーム範囲及び物体距離全般にわたって高い光学性能を有するズームレンズが得られる。
【００５７】
以下に、実施例１乃至３に各々対応する数値実施例１乃至３を示す。各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした材料の屈折率、アッベ数を示す。像高は半画角を決定する最高像高である。レンズ全長は第１レンズ面から像面までの長さである。バックフォーカスＢＦは最終レンズ面から像面までの長さである。非球面データには、非球面を次式で表した場合の非球面係数を示す。
【００５８】
【数１】
2016048355.tif 000003
【００５９】
但し、
x：光軸方向の基準面からの変位量
h：光軸に対して垂直な方向の高さ
R：ベースとなる２次曲面の半径
k：円錐定数
An：ｎ次の非球面係数
なお、「ｅ−Ｚ」の表示は「10-Z」を意味する。又前述の各条件式と数値実施例における諸数値との関係を表１に示す。 
【００６０】
[数値実施例１]
単位 mm
面データ
面番号       r        d      nd         νd       有効径
1         32.903    0.85   1.94595    18.0       23.11
2         23.697    3.39   1.80420    46.5       22.16
3        239.525  (可変)                         21.67
4        104.318    0.67   1.77250    49.6       17.70
5          9.356    4.75                         13.33
6*       -18.059    0.40   1.76802    49.2       12.53
7        116.691    0.10                         12.34
8         30.603    1.20   1.95906    17.5       12.27
9        717.339  (可変)                         12.12
10(絞り)    ∞     (可変)                         10.62
11*        15.470    2.65   1.76802    49.2       12.97
12*       -45.132    0.10                         12.82
13         11.775    2.52   1.83481    42.7       11.79
14        230.169    0.45   1.85478    24.8       11.01
15          8.338  (可変)                          9.56
16         30.731    2.88   1.49700    81.5       11.95
17        -17.952  (可変)                         12.20
18        -22.355    0.40   1.85135    40.1       12.30
19*       444.580    0.10                         12.75
20         21.426    1.94   1.63854    55.4       13.57
21       -542.945  (可変)                         13.69
像面        ∞   
【００６１】
非球面データ
第6面
K = 0.00000e+000  A 4=-2.29119e-005  A 6= 8.28299e-008  A 8=-1.20260e-008  A10= 1.04155e-010  
第11面
K = 0.00000e+000  A 4=-4.42389e-005  A 6= 1.20948e-007  
第12面
K = 0.00000e+000  A 4= 1.80026e-005  A 6= 3.00368e-007  A 8=-3.24113e-009  A10= 2.62387e-011  
第19面
K = 0.00000e+000  A 4= 5.63992e-005  A 6=-4.35159e-008  A 8=-9.87071e-010  A10= 8.77351e-012  
【００６２】
各種データ
ズーム比      3.94 
広角     中間     望遠
焦点距離       9.06    16.39    35.69  
Fナンバー      1.85     2.54     2.88  
半画角（度）  35.52    25.03    12.46  
像高           6.47     7.65     7.89  
レンズ全長    58.97    58.94    67.77  
BF             8.90    13.30    12.40  
d 3            0.31     4.81    15.34  
d 9           12.26     3.51     0.70  
d10            5.34     4.39     0.31  
d15            8.38     7.60     6.58  
d17            1.40     2.95    10.04  
d21            8.90    13.30    12.40  
ズームレンズ群データ
群  始面    焦点距離   
1    1      50.83             
2    4     -10.03           
3   10       ∞               
4   11      17.24            
5   16      23.26            
6   18    -115.71            
【００６３】
[数値実施例２]
単位 mm
面データ
面番号       r        d      nd         νd       有効径
1         31.460    0.90   1.95906    17.5       25.00
2         22.075    3.99   1.83481    42.7       23.87
3        173.492  (可変)                         23.36
4        116.516    0.65   1.77250    49.6       19.69
5         10.448    4.61                         14.96
6*       -27.237    0.50   1.77250    49.5       14.51
7         37.051    0.10                         14.05
8         26.969    1.39   1.95906    17.5       14.02
9        179.793  (可変)                         13.84
10(絞り)    ∞       0.50                         11.98
11         13.213    2.93   1.72916    54.7       13.29
12        398.246    1.57                         13.06
13         68.201    0.55   1.72047    34.7       12.49
14          9.492    2.40   1.72903    54.0       11.88
15*        26.465  (可変)                         11.57
16         25.168    4.10   1.49700    81.5       12.04
17         -9.923    0.65   1.83400    37.2       12.30
18        -14.411  (可変)                         12.86
19        -18.511    0.65   1.74950    35.3       12.86
20         34.889    0.20                         13.64
21*        16.937    3.54   1.77250    49.5       14.62
22        -33.704  (可変)                         14.75
23        -27.553    2.46   1.84666    23.9       14.62
24        -13.171    0.75   1.76200    40.1       14.82
25        166.770    3.57                         15.17
像面        ∞   
【００６４】
非球面データ
第6面
K = 0.00000e+000  A 4=-6.41140e-006  A 6= 5.57684e-008  A 8=-3.27125e-009  A10= 1.93183e-011  
第15面
K = 0.00000e+000  A 4= 1.38941e-004  A 6= 8.79835e-007  A 8=-6.39494e-010  A10= 1.22023e-010  
第21面
K = 0.00000e+000  A 4=-6.11525e-005  A 6= 3.48246e-008  A 8= 1.95888e-009  A10=-2.03717e-011  
【００６５】
各種データ
ズーム比      4.27 
広角     中間     望遠
焦点距離       9.09    12.48    38.79  
Fナンバー      2.03     2.17     2.58  
半画角（度）  35.45    31.51    11.50  
像高           6.47     7.65     7.89  
レンズ全長    72.07    66.52    75.94  
BF             3.57     3.57     3.57  
d 3            0.31     0.31    14.87  
d 9           23.66    14.05     1.13  
d15            5.18     6.19     5.97  
d18            4.89     5.22    16.98  
d22            2.02     4.74     0.99  
ズームレンズ群データ
群  始面    焦点距離  
1    1      48.90        
2    4     -10.92         
3   10      23.13        
4   16      23.46       
5   19     113.50        
6   23     -34.67        
【００６６】
[数値実施例３]
単位 mm
面データ
面番号       r        d      nd         νd       有効径
1         31.934    0.85   1.94595    18.0       23.70
2         22.698    3.67   1.80420    46.5       22.34
3        348.686  (可変)                         21.82
4        175.944    0.67   1.77250    49.6       17.80
5          9.254    4.41                         13.28
6*       -21.749    0.40   1.76802    49.2       12.69
7         63.771    0.10                         12.40
8         25.588    1.26   1.95906    17.5       12.32
9        168.719  (可変)                         12.12
10(絞り)    ∞     (可変)                         10.38
11*        14.229    2.65   1.76802    49.2       12.65
12*       -55.682    0.10                         12.46
13         11.636    2.75   1.83481    42.7       11.49
14        133.910    0.45   1.85478    24.8       10.45
15          7.809    6.72                          9.06
16         22.304    3.06   1.49700    81.5       11.26
17        -11.703    0.50   1.83481    42.7       11.49
18        -14.998  (可変)                         11.83
19        -17.579    0.40   1.61405    55.0       12.11
20*        97.749  (可変)                         12.69
21         14.270    3.26   1.59522    67.7       17.93
22         49.886  (可変)                         17.71
像面        ∞   
【００６７】
非球面データ
第6面
K = 0.00000e+000  A 4=-1.78427e-005  A 6= 2.76169e-007  A 8=-1.51025e-008  A10= 1.40169e-010  
第11面
K = 0.00000e+000  A 4=-4.64998e-005  A 6= 8.46809e-008  
第12面
K = 0.00000e+000  A 4= 1.88687e-005  A 6= 3.63173e-007  A 8=-4.92636e-009  A10= 4.58148e-011  
第20面
K = 0.00000e+000  A 4= 7.29286e-005  A 6=-8.35581e-008  A 8=-9.38328e-009  A10= 7.56034e-011  
【００６８】
各種データ
ズーム比      3.94 
広角     中間     望遠
焦点距離       9.06    15.73    35.70  
Fナンバー      1.85     2.54     2.88  
半画角（度）  35.52    25.94    12.46  
像高           6.47     7.65     7.89  
レンズ全長    58.91    59.27    67.86  
BF             5.63     8.46     6.94  
d 3            0.37     4.13    14.63  
d 9           12.59     2.95     0.70  
d10            5.10     5.98     0.94  
d18            1.94     3.04     8.33  
d20            2.03     3.48     5.09  
d22            5.63     8.46     6.94  
ズームレンズ群データ
群  始面    焦点距離 
1    1      46.97       
2    4     -10.08       
3   10       ∞        
4   11      14.78       
5   19     -24.23       
6   21      32.47        
【００６９】
【表１】
2016048355.tif 000004
【００７０】
次に本発明のズームレンズを撮影光学系として用いた実施例を図１０を用いて説明する。図１０において、１０は撮像装置の一例としての図、１１は本発明のズ−ムレンズによって構成された撮影光学系、１２は撮影光学系１１によって形成された被写体像を受光するＣＣＤセンサやＣＭＯＳセンサ等の撮像素子（光電変換素子）を示す。また、１３は撮像素子１２が受光した被写体像を記録する記録手段、１４は不図示の表示素子に表示された被写体像を観察するためのファインダ−である。上記表示素子は液晶パネル等によって構成され、撮像素子１２上に形成された披写体像が表示される。
【００７１】
このように本発明のズームレンズをデジタルカメラ等の光学機器に適用することにより、高い光学性能を有した光学機器が実現できる。尚、本発明はクイックリターンミラーのないＳＬＲ（Single lens Reflex）カメラにも同様に適用することができる。尚、本発明のズームレンズはビデオカメラにも同様に適用することができる。
【００７２】
以上、本発明の好ましい実施形態について説明したが、本発明はこれらの実施形態に限定されず、その要旨の範囲内で種々の変形及び変更が可能である。
【符号の説明】
【００７３】
Ｌ１：第１レンズ群    Ｌ２：第２レンズ群    Ｌ３：第３レンズ群
Ｌ４：第４レンズ群    Ｌ５：第５レンズ群    Ｌ６：第６レンズ群
ＬＢ：後群    ＬＦ：フォーカス群    ＬＢＢ：後続群
【図１】
2016048355.tif 000005
【図２】
2016048355.tif 000006
【図３】
2016048355.tif 000007
【図４】
2016048355.tif 000008
【図５】
2016048355.tif 000009
【図６】
2016048355.tif 000010
【図７】
2016048355.tif 000011
【図８】
2016048355.tif 000012
【図９】
2016048355.tif 000013
【図１０】
2016048355.tif 000014